(57)【特許請求の範囲】
【請求項１】
２つのプロフィール部（１；１９）を着脱可能に接続する締めつけ装置であって、
第１のプロフィール部（１）に挿入コア（２；６１）を挿入すること及び固定することができ、
前記挿入コアは、締め付け素子を移動させるために、軸方向に移動可能なスライドを端部で支持しており、
前記締め付け素子は、第２のプロフィール部（１９）の一部に締め付け圧力を作用させるために、前記第２のプロフィール部の開口部に少なくとも一部分を挿入でき、
前記一部分は、前記開口部を部分的に閉じるものであり、
前記挿入コアは外壁を有し、前記スライドとかみ合う滑り面からなるシステムにより前記スライドを軸方向に移動させるために、前記外壁の一つに偏心体が貫通されて保持されており、
前記挿入コアは、少なくとも部分的に幅が広い二つの外壁及び幅が狭い２つの外壁を有し、
前記偏心体は、前記幅が広い外壁の一つに貫通した状態で保持されるように弾性体によって外側に押されており、
前記スライドは、平坦で板状に形成された、互いに相対する２つの縁部（７４、７５；７４’、７５’；１５４）を有し、
前記挿入コアは、前記スライドの２つの平坦な縁部（７４、７５；７４’、７５’；１５４）を案内するために、２つの縦長い滑り側面を有する
ことを特徴とする締め付け装置。
【請求項２】
請求項１に記載の締め付け装置において、
前記幅が広い第１の外壁は、偏心体（５；８０）の頭部に合う穴（３；８０）を有し、
前記スライドは、前記挿入コアの内部へ前記スライドを移動させるために前記偏心体の偏心ローラー（２２；１０３）と相互作用を行う切り抜き（１２；７２）及び壁（３０；５７）を有し、
前記スライドは、前記挿入コア（２）の縦長い滑り面により案内される平坦で平行な２つの外部の縁部を有する
ことを特徴とする締め付け装置。
【請求項３】
請求項２に記載された締め付け装置において、
前記挿入コア（２）の第１の外壁の前記穴（３）の中に回転可能に配置された前記偏心体（５）のヘッド（４）は、偏心ローラー（２２）の公称直径より大きな直径を有し、
前記挿入コア（２）の内部空洞の前記外壁の内側でスライドするように配置された弾性ロック・プレート（４３）がフォーク状の開口部（５０）を有し、
前記開口部には、くびれ（２０）を介して前記偏心体（５）が移動可能に挿入されており、
前記ロック・プレート（４３）の縁は、前記フォーク状開口部（５０）において、ばね力により、前記外壁の穴（３）から前記偏心体（５）を押し出す
ことを特徴とする締めつけ装置。
【請求項４】
請求項２又は請求項３に記載の締め付け装置において、
前記スライド（７）の連続切り抜き（１２）は、非対称的であり、前記スライドの長手方向軸に少なくともほぼ直角に伸びる２つの境界壁（２７；２８）と、前記長手方向軸に平行に伸びる境界壁（２９）と、前記締め付け素子を囲む前記スライドの端部部品に近い領域では弧状であり反対側の領域では斜めとなるように形成された境界壁（３０）とによって部分的に仕切られている
ことを特徴とする締め付け装置。
【請求項５】
請求項４に記載の締め付け装置において、
前記偏心体（５）は、前記偏心ローラー（２２）の隣に、前記偏心ヘッド（４）と同軸に配置され、前記挿入コア（２）の第２の前記幅が広い外壁の円形凹部（３７）にはまる偏心ストップ・ローラー（２３）を有する
ことを特徴とする締め付け装置。
【請求項６】
請求項５に記載の締め付け装置において、
前記円形凹部（３７）は、少なくともほぼ三日月状の断面を持つさらなる凹部につながっており、
前記偏心ストップ・ローラ（２３）は、適当な回転位置において前記凹部（３８）の中に挿入できるような少なくともほぼ三日月状の断面を有する
ことを特徴とする締め付け装置。
【請求項７】
請求項２に記載の締め付け装置において、
前記挿入コアの第１の外壁（９１）の前記穴（３）の中に回転可能に配置された前記偏心体（７３）の偏心ヘッドは、偏心体（７３）の偏心ローラー（１０３）の公称直径より小さい直径を有し、
前記偏心体の端面の内の１つが、前記偏心体（７３）を外へ押す圧縮ばね（１０７）をその内部で保持する円筒形凹部（１０６）を有する
ことを特徴とする締め付け装置。
【請求項８】
請求項１から請求項７までのいずれか１項に記載の締め付け装置において、
縦長い前記滑り面は、前記挿入コアの前記外壁の内の少なくとも１つに設けられている溝（３５、３６）又はスロット状開口部（９２、９３）内の壁によって形成されている
ことを特徴とする締め付け装置。
【請求項９】
請求項１から請求項８までのいずれか１項に記載の締め付け装置おいて、
前記スライド（７；６８）は、カップリング部（９；１１８；１２１）を有し、
前記カップリング部は、平坦に形成された縁部に対して軸回りに９０°回転されており、締め付け素子（１５、１６；１１７；１１９、１２０）を支持するものであり、
又は／及び、平坦な板状に形成されたスライドの縁部（１５４）は、穿孔部として形成され、締め付け要素（１４７）を支持する、少なくとも１つのクリアなスロット（１３１、１３２）を有する
ことを特徴とする締め付け装置。
【発明の詳細な説明】
本発明は、請求の範囲第１項の序文にあるように、２つのプロフィール部を着脱可能に接続する締め付け装置に関する。
ＣＨ−Ａ−５７６  ５９１号に開示されている締め付け装置は、取り外し可能なフレーム及び／又は壁のプロフィール部を接続する機能を果たす。この目的のために、この締め付け装置には、長手方向に移動可能なボルトが備えられている。ボルトは挿入コアの中で案内されており、その先端は、他のプロフィール部のスロットの背後と噛み合せさせるべくＴ形状となっている。このボルトは、ねじにより長手方向に移動させられる。ねじは、円錐形の先端を有し、この円錐形の先端は、締め付け面として機能するボルトの円錐形の凹部に偏心状態で押しつけられる。
このタイプの別の締め付け装置がＥＰ−Ｂ１−０  ５０６  ６０７号に開示されている。この締め付け装置では、ボルトは、複数の保持部品を旋回可能に搭載する支持手段を有する。保持部分の各々と挿入コアの内部壁とは、ボルトが軸方向に運動した場合に保持部品が旋回運動できるように表面を滑動させるシステムを有する。いずれの場合においても、保持部品の自由端領域は、旋回運動を行った場合に所定の締め付け圧力を発揮するようにフックという形状に設計されている。
このタイプのさらに別の締め付け装置がＥＰ−Ｂ１−０  １２３  ６８３号に開示されている。この締め付け装置では、控えボルトは、広がった端部部品を持つロッドとして拡張されることにより、そして、広がったフィンガーを有し、広がった端部部品の背後で係合するための内側に突出したパンプスを有する挿入コアにより固定される。このタイプのスナップ留めは、ロッド中に斜めに配置されたピンが誘導される長手方向スロットを少なくとも１つ持つ一体型取りされたスリーブによって実現される。
さらに、仏国特許第２、１５２、９４１号には、ハウジング中にその位置を固定されて配置されている軸の回りに回転可能に搭載されている保持素子を持つ装置が記載されている。この装置はボルトと、滑り面を介してこのボルト中に係合するねじを有さず、むしろ、ハウジングの幅に対応した高さを持つ偏心部によって保持素子が回転するようになっている。ハウジングは、軸方向に運動したときに保持素子を回転させる滑り面を有さず、滑り面は、偏心部内と、保持素子又は保持素子を排出する圧力伝達部品の下部領域内に配置されている。
本発明の目的は、最初に述べたタイプの改良された締め付け装置を提供することにある。
この目的は本発明に従って、請求の範囲第１項の特徴部分に述べる特徴を持つ締め付け装置によって達成される。
本発明のさらなる長所となる実施態様は従属クレームに記載されている。
本発明は以下に示す図面を参照として以下に詳細に説明する。
図１は、挿入コアが閉じた状態にある本発明による締め付け装置の偏心軸における断面図である。
図２は、本発明による締め付け装置の一部及びそのスライドの平面図である。
図３は、本発明による締め付け装置の偏心部分の断面図であって、長手方向の軸に交差する断面図である。
図４及び図５は、このタイプのスライドの変形例を示す図である。
図６から図８までは、挿入コアを示す図である。
図９及び図１０は、弾性ロック・プレートの側面図及び上面図である。
図１１は、本発明による締め付け装置のさらに別の実施形態であって、特殊ラッチを有する締め付け装置の平面図である。
図１２は、この実施態様の偏心軸における断面図である。
図１３は、この実施態様の下部ハウジング部の平面図である。
図１４は、図１３の線Ａ−Ａにおける断面図である。
図１５は、この実施態様の上部ハウジング部の平面図である。
図１６は、図１５の線Ｂ−Ｂにおける断面図である。
図１７は、この実施態様の偏心体の断面図である。
図１８は、このタイプの偏心体の平面図である。
図１９は、このタイプの特殊ラッチを示す図である。
図２０は、一方に曲げられたハンマーヘッドを締め付け素子として有するそり型スライドの略図である。
図２１は、両側に曲げられたハンマーヘッドを締め付け素子として有するそり型スライドの略図である。
図２２及び図２３は、弾性ロック・プレートのさらに別の実施形態の側面図及び上面図である。
図２４は、図２２及び図２３によるロック・プレートを有する締め付け装置における偏心部分の断面図であって、長手方向の軸に交差する断面図である。
図２５及び図２６は、スライドのさらに別の変形例を示す斜視図である。
図２７及び図２８は、特殊ラッチのさらに異なる実施形態を２つ示す図である。
図１は、挿入コア２を示している。挿入コア２は、好ましくは、プラスチック又はアルミニウムのような軽量材料からなる。挿入コア２は、第一のプロフィル部１の中に挿入され、固定されている。挿入コア２は、偏心体５のヘッド４を収容するための横向きボア３、及び、好ましくは非弾性体又は剛体であるアンカーすなわちスライド７を収容するための内部チャネル６と呼ばれる縦長い内部スペースを備えている。内部チャネル６は、ダイカスト又はせん孔部として製造可能である。
プロフィール部１及び挿入コア２は、例えば、ＣＨ−Ａ−５７６  ５９１号又はＥＰ−Ｂ１−０  ５０６  ６０７号又はＥＰ−Ｂ１−０  １２３  ６８３号に記載された対応する素子に類似したものであってもよい。
アンカー７は、チャネル６の中に移動可能に取り付けられている。コイルばねや（図３で概略だけが示されている）圧縮ばね８’をチャネル６の内部端部領域８内に収容することも可能となっている。
図２は、スライド７が幅広く平坦に形成され、３つの部分、すなわち上部カップリング部９、中央偏心部分１０及び下部底部１１を有し、さらに偏心部分１０が非対称な切り抜き部１２を有することを示している。カップリング部９は、シャフト１４用のボア１３（図１）を有し、剣のように伸ばされ、９０°回転されたタブであってもよい。カップリング部９は、保持部品すなわちラッチ１５、１６を回転可能に取付ける部位として機能する。このタイプの保持部品は、それ自体ＥＰ−Ｂ１−０  ５０６  ６０７号より周知である。この保持部品は、突出部１７、１８（図１）を有する。突出部１７、１８は、プロフィール部１９の一部分に締め付け圧力を作用させるために、プロフィール部１９の開口部の中に挿入される。突出部１７、１８は、開口部を部分的に閉じる。これらのラッチ１５、１６は、カップリング９の両側に等しく分配されるように、突出部１７、１８が両方の方向に互い違いで平坦に積み重ねられている。
締め付け装置の偏心体５は、好ましくは同心に形成されている、直径Ｄの偏心ヘッド４、偏心ネック２０及び偏心フランジ２１を有する。さらに、偏心体は、偏心ローラ２２及び偏心ストップローラー２３を有する。偏心ローラ２２は、偏心ヘッド４に対して偏心して配置されており、直径ｄを有する。偏心ストップローラー２３は、偏心ヘッドと同軸であり、公称直径ｄ’を有する。ここで、Ｄ＞ｄ、
0003953517.tif 000002
である。偏心ネック２０は、偏心ヘッド４内のくびれとして形成されることであってよい。
図１及び３は、スライド７の偏心部分１０の中央領域に位置している切り抜き１２の断面を示している。この切り抜き１２は、偏心ローラ２２を収容し、さらにアンカー７が移動された場合にこのローラと相互作用するように特別に形成されている。
図１及び２は、閉じた位置にある締め付け装置が示されている。閉じた位置では、スライド７が後退、すなわち内部に伸びており、保持部品１５、１６は回転された位置に配置され、突出部１７、１８はプロフィール部１９の背後に噛み合っている。円形の偏心ヘッド４は、挿入コア２内のボア３の中で、自身の軸２５の回りを回転できるように備えられており、スパナを用いることによって回転させることができるように同心矩形ソケット２６若しくは六角ソケット又は他の回転手段を有する。
図４は、貫通している切り抜き１２が、少なくとも、２つの平行な境界壁２７、２８、アンカーの長手方向軸に平行で壁２７、２８に対しほぼ直角な下部境界壁２９、及びカップリング部９の近傍の右側領域では弧状に、左側領域では斜めに形成されている上部境界壁３０によってその境界をほぼ定められていることをスライド７の変形例を用いて示している。壁２７から３０は、スライド７の平坦面に対し直角に広がっている。
偏心ヘッド４の軸２５及び偏心ローラ２２の軸３１は、軸２５の回りに回転可能な平面３２（図２）を定義する。平面３２は、締め付け装置が閉じられるときには、スライド７を後退させるために、すなわちこのスライドを実質的に回転させずに下方に押しやるために、時計回り移動する。
スライド７の底部１１は、比較的幅が広い窪み３３を備えている。窪み３３の壁３４、３４‘は、アンカー７の長手方向軸に平行であり、圧縮ばねを保持又は案内することその他に適している。
図４及び５による変形例では、スライド７のカップリング部９は、図１及び図２による実施態様のように軸回りに９０度回されてはいない。その代わりに、ボア１３の代わりに開口部１３’を形成するべく、移動方向に対し交差する軸の回りに約３６０度曲げられている。
挿入コア２は、一体に形成してもよく、又は、互いにはまり合う平坦な２つのシェルを互いに接着し若しくはねじによって留めたものであってもよい。図６から８までに、例として、縦長い平行六面体の形状をした一体の挿入コアを示した。挿入コア２の内部チャネル６は、細長く、好ましくは中央に設けられた溝３５、３６を有する。溝３５、３６は、スライド７の平坦縁部５８、５９のためのガイドとして機能する。
挿入コア２の幅が広い側面の一方には、横向きボア３がある。横向きボア３には、偏心ヘッド４が回転可能に取り付けられている。挿入コア２の反対側の広い側面には、円形凹部３７が横向きボア３と同軸に備えられている。円形凹部３７の中では、偏心ストップ・ローラ２３が回転することができる。円形凹部３７（図８）は、さらに凹部３８につながっている。凹部３８は、例えば、三日月状の断面を有し、平面３９によって仕切られている。平面３９は、軸２５の近くにあり、スライド７の移動軸に対して直角に伸びている。また、図３又は６に示した挿入コアの内部には、溝４０、４１も設けられている。溝４０、４１は、内部チャネル６とつながっており、溝３５、３６に平行である。溝３５及び４０は、スライドの移動軸と挿入コアの狭い側面の一方との間の領域に配置されている。溝３６及び４１は、スライドの移動軸と前記コアの狭い側面の他方との間に配置されている。図６に示すように、溝４０及び４１の上部壁は、弾性ロック・プレート４３用の広い滑り面を形成するために、挿入コアの大きな内部壁４２の拡張部として設けられている（図１）。挿入コア及び／又はロック・プレート４３の寸法が異なる場合には、これらの溝４０、４１はなくてもよい。
図９及び１０には、ロック・プレート４３が、Ｕ字形に曲げられ、スライド平面４４に垂直に伸びる横細片４５、及びスライド平面４４に平行に伸びるタブ４６を有する端部を備えること、及び、横細片４５が、側面において曲げられ、ロック・プレート４３のスライド平面４４に直角な２つのタブ４７、４８を有することが示されている。
ロック・プレート４３は、Ｕ字形状の切開部によって形成され、スプリング・フィンガーを形成するためにタブ４６、４７、４８によって定義される空間より下方まで押し下げられた縦長い舌部すなわち薄板４９を有する。横細片４５の反対側にある、ロック・プレート４３の端部領域は、縦長い開口形状であり、したがって半円形及び多少の矩形輪郭を有する表面を持つ、好ましくは中心に設けられた、フォーク形状の開口部５０を有する。
図６、７、８は、本発明による挿入コアの一例を示している。このコアは、対応するプロフィール部と滑りさねはぎを構成するために、幅が狭い方の長手方向側面の各々に、好ましくは中心に、リブ５１、５２を有している。これらのリブは、他の実施形態では省略することができる。図３に示す実施態様では、これらのリブ５１、５２が、プロフィール部の内部における挿入コアの横方向移動を防止する。
図１から１０に示した本発明による締め付け装置は、以下のように作用する。
ロック・プレート４３（図９、１０）は、横向きボア３が配置されている挿入コアの幅広の内部壁４２（図６）に、外部滑り平面４４が接触し、横細片４５が挿入コア２の底領域（図２）の中に位置し、開口部８の領域内において挿入コア２の他方の幅広の内部壁４２’（図１）にタブ４６が接触し、そして、挿入コア２の壁４２に対し滑り平面４４を押しつける力をばね舌部４９が発生するように、挿入コア２の内部チャネル６の中に完全に収容されることが可能である。組み立てた状態において、偏心ネック２０は、ばね舌部４９のばね力により、開口部の縁が偏心ヘッド４を落ちないように外へ押しやり、同時に、偏心体５に対しロック・プレート４３が移動可能であるように、開口部５０の中に挿入されている。
プロフィール部１内に締め付け装置を収容できるようにするために、ラッチ１５、１６、...は、外部に、すなわち図１において上方に、引っ張られなければならない。これは、偏心ストップ・ローラ２３の三日月状の端部が挿入コア２の三日月状凹部３８に重なる位置に合うように、偏心ヘッドを回転させることにより行う。この時に、偏心体５は、指又は工具により偏心ヘッド４の端部表面に与えられた圧力により、少なくとも偏心ヘッド４の表面が挿入コアの表面と同一面上にくる程度にまで挿入コア内に導入される。なぜならば、上記圧力は、偏心ストップ・ローラ２３の三日月状端部を挿入コア２内の相補的な関係にある三日月状凹部３８中に挿入されるからである。
挿入コア２は、上記状態にあるときは、プロフィール部１の中に収容されることができ、ばね舌部４９のばね力により偏心ヘッド４がプロフィール部１の対応する円形開口部５３から押し出され、それによりロックされる位置まで移動することができる。このように固定されることにより、締め付け装置は、動作位置に配置される。
偏心ヘッド４をスパナを用いて回転させると、偏心ローラ２２は、切り抜き１２の壁３０の斜部に押しつけられ、これにより、スライド７を下方に押す。その結果、ラッチ１５、１６、...が広がり、締め付け装置が閉じる。締め付け装置を開く場合には、偏心ヘッド４を他の回転方向に回転させる。このときには、ラッチは広がる動作を終了し、プロフィール部１９から引き出せるようになる。これらラッチの動作モードは、ＥＰ−Ｂ１−０  ５０６  ６０７号による締め付け装置の場合と同様である。カップリング部９も、ＣＨ−Ａ−５７６  ５９１号による締め付け装置の場合のように、Ｔ字形のヘッド端部を持つように形成可能である。その他に、挿入コア２及び／又はスライドの他の部分は、最初に述べた特許によるいずれかの装置に類似したものであってもよい。
図１及び３から明らかなように、偏心ローラ２２の高さは、スライド７の厚さ及び締め付け装置が固定されるプロフィール部１の壁５４の厚さの合計より大きい。図１において、ばね舌部４９の向きは、破断斜線“／”に対応している。このばね舌部４９は、逆の設計、すなわち分離斜線“＼”のようになっていてもよい。
ロック・プレート４３を落ちないように保持するために、タブ４７、４８の端部５５、５６が曲げられている。この結果、これらのタブは、軸２５に平行な、挿入コア２の対応する外部溝の中にくさびのように止めることが可能となっている。
図１１及び１２に示す本発明による締め付け装置の変形例では、挿入コア６１は、４つのねじ６２、６３、６４、６５によって結合され、締め付け装置のハウジングを形成する、２つの縦長シェル６６、６７を有する。シェル６６と６７との間には、長手方向に移動可能なスライド６８が納められている。スライド６８は、同様に、カップリング部６９、偏心部すなわちロック部分７０、並びに底部７１を有する。偏心部分７０は、貫通する切り抜き部７２を有する。切り抜き部７２の中には、偏心体７３が案内される。偏心部分７０は、２つの平行で平坦な側縁、すなわち縁部７４、７５によりその少なくとも一部を平坦に形成されている。縁部７４、７５は、ハウジングにスロット又は溝として設けられた、対応する凹部に移動可能に保持される。カップリング部６９は、ラッチ７８、７９が取り付けられたシャフト７７を支持するために横ボア７６を備えている。上部シェル６７は、偏心体７３を回転可能に取り付けるために円形の横ボア８０を備えている。コイルばね８１は、ハウジングの底部とスライドの底部７１との間に装置されており、スライド６８を外側に押している。
図１３及び１４に示す下部シェルは、長く、薄く、Ｕ字形で、リブ状の、幅が狭い側壁８３により仕切られている幅広のハウジング壁８２を有している。側壁の２つの長い方の部分は、側壁８３より高さが低い弧状リブ８４によって結合されている。ラッチの領域内において、ハウジング壁８２は、２つの矩形開口部８５、８６を有し、また、壁の端部領域は、傾斜板８８で終端する隆起したエッジ８７の形に形成されている。ハウジング壁８２は、小さな窪み８９を有する。窪み８９は、好ましくは、弧状リブ８４と接する円により仕切られている。Ｕ字形の側壁８３の自由端部は、その各々が、ラッチ保護用の幅の狭い剣状の拡張部９０、９０’を有することであってもよい。このＵ字形側壁８３は、ねじ６２、６３、６４、６５（図１１）用のねじ付き穴を有する４つの拡張部を備えている。
図１５及び１６に示す上部シェルは、実質的に、幅の広いハウジング壁９１と、締め付け装置の底部を形成する薄いＵ字形のリブ状の幅が狭い側壁９４の境界を定める２つの断続部９２、９３を有するリブ状境界部と、ラッチの領域内にある２つの直線状のリブ状部９５、９６とから成っている。上部シェルには、偏心体７３用のクリアな開口部８０（図１２）がある。ハウジング壁９１は、ラッチの領域内に２つの矩形の開口部９７、９８を有する。また、その端部領域には、エッジ９９及び傾斜部１００を備えた肉厚部分が設けられている。リブ状境界部は、ねじ６２、６３、６４、６５（図１１）のための穴を有する４つの拡張部を有する。直線状のリブ状部９５、９６の自由端部は、各々、拡張部９０、９０’と共にラッチを覆うための幅が狭い剣状の拡張部１０１、１０１’を有する。
図１７及び１８に示す偏心体７３は、本質的に３つの円筒領域を有する。これらの円筒領域は、共通の敷設線１０２を有し、上から下に向けて減少する高さを有する。他の２つの領域より大きな直径を持つ中央領域は、偏心体７３の軸１０４と偏心ローラ１０３の軸１０５との間で偏心度εを有する偏心ローラ１０３を形成する。偏心体７３は、その下端面に、円筒状凹部１０６を有する。円筒状凹部１０６は、その内部に圧縮ばね１０７（図１２）を保持している。偏心体７３は、上端面に六角ソケット１０８を有する。
図１９は、ラッチの一実施形態を示している。図１９に示すラッチは、一方の端部領域中に突出部１０９を有し、他方の端部領域中にボア１１０を有し、中央領域中に拡張部１１１を有する。拡張部１１１は、移動軸１１２の垂線に対し角度αだけ傾斜している面１１３を有している。好ましくは、α＝β＝γという関係がある。
図１９に示す特殊な実施形態によるラッチは、２つの拡張部１１４、１１５を有する。拡張部１１４、１１５は、軸１１２に対し外側へ対称であり、また、ボア１１０の直径横断軸に対しても対称であるように設計されている。また、拡張部１１４、１１５は、はめ合い状態において複数のラッチの拡張部１１４、１１５が開口部８５、８６、９７、９８の空間内で回転可能であることを保証する寸法を有する。
図１１から１９に示す本発明による締め付け装置は次に説明するように機能する。
ばね８１は、スライド６８を長手方向外側に押し、一方、ばね１０７は偏心体７３を横方向外側に押す。偏心ローラ１０３は、円形の角を持ついくぶん矩形に設計されたクリアな切り抜き７２内に回転可能に取り付けられている。偏心体７３が回転されると、偏心ローラ１０３が偏心しているためにスライド６８が長手方向に移動する。図１１及び図１２では、閉じられた状態にある締め付け装置が示されている。これらの図において、傾斜部１００又は８８が傾斜面１１３（図１９）を押すことによりラッチが回転させられ、偏心ローラ１０３は、切り抜き７２の領域内でスライドの底部７１に圧力を加え、敷設線１０２（図１７）を弧状リブ８４の凹部側に当てる。この状態では、突出部１０９がプロフィール部１９（図１２）の下にかみ合い、その部分に締め付け圧力を加える。そして、偏心体７３は、ボア８０、底部７１、及びリブ８４の間に堅固に固定され、その結果、スライド６８が安定した状態におかれる。
締め付け装置を開くためには、偏心体７３を六角スパナで約１８０度まで回転させる。これにより、偏心ローラ１０３は、回転中にスライド６８を外側に引っ張る。この運動中に、開口部８５、８６、９７、９８の前部境界部１１６（図１２）はラッチの拡張部１１４、１１５に対するもどり止めとして作用し、これによってこれら拡張部はまっすぐな姿勢になり、締め付け装置を第２のプロフィール部１９から引き出すことが可能となる。
締め付け装置を第１のプロフィール部１から解放するためには、締め付け装置を図１２に従って閉じた状態にすればよいが、ラッチは、第２のプロフィール部の下にかみ合わさせない方が好ましい。この理由は、この状態においては、偏心ローラ１０３がリブ８４に接触することなくばね１０７の作用に逆らって偏心体７３を押し込まれることができるからである。締め付け装置をプロフィール部１の中に組み込むことができるようにするために、窪み８９の底部とシェル６７の外部表面との間の距離よりも偏心体７３の全体の高さを小さくしてある。
締め付け素子としては、Ｌ字型又はＴ字型に形成された、あるいは、図２０に示すいわゆる湾曲ハンマーヘッド１１７に形成されたスライド・ヘッドを用いることも可能である。
図２０に示すスライドのカップリング部は、移動方向に対して垂直な軸の回りに９０度から３６０度の間の角度だけ１つの処理工程で曲げられ、別の処理ステップで、拡張部１１７をスライドに接続する首部１１８が移動方向の軸回りに９０度回された、中央拡張部１１７を有する。
図２１に示すスライドのカップリング部は、２つの拡張部１１９、１２０を有する。拡張部１１９、１２０は、長手方向軸に対して対称に配置されている。拡張部１１９、１２０は、１つの処理工程で、第１のものは移動方向に対し垂直な軸回りの一の方向に９０度から３６０度までの間の角度だけ曲げられ、第２のものは同じ角度だけそれと反対の方向に曲げられている。さらに、続く工程で、これら２つの拡張部を共にスライドに結合している首部１２１が長手方向の軸回りに９０度ねじられている。
図２２及び２３に示すロック・プレート４３’は、基本的には図９及び１０に示した実施形態に対応するものであるが、Ｌ字型の切り込み１２２及び１２３により薄片１２４及び１２５を側部に形成されている。薄片１２４及び１２５は、下方に折り曲げられ、これに応じて自身も下方に折り曲げられたロック・プレート４３’の端部１２６と同一平面上にある。
図２４は、舌部１２４及び１２５が溝４０、４１の異なる壁１２７、１２８を押している様子を示している。この場合、窪み３３（図４）を省略することが可能であり、オプションのばね８’用の２つの平行スロットで置き換えることも可能である。
図２５に示すスライド１２９は、せん孔部品であり、タブ１３０を形成する、幅を狭めた湾曲端部を持ち、さらに、スライド１２９の他方の端部領域に位置し、このスライドの幅が狭い端部エッジ１３３に平行な２つのスロット１３１及び１３２を有する。タブ１３０の内壁１３４は、少なくとも中央領域において、切り抜き７２（図１１、１２）に対するショルダ５７の場合とまったく同じように、切り抜き１３６の内壁１３５の一方の部分と同一平面上にある。スライド１２９（図２５）の拡張した側面境界部７４’、７５’は、凹部９２、９３（図１６）又は溝３５、３６（図６）によって案内されることが可能である。後者の場合には、タブ１３０は無くてもよく、凹部１３６は異なる形状を有する。場合によっては、ねじ６４、６５（図１１）の代わりとなる１つのねじで２つのシェルを接続するために、縦長い穴１３７を中心に置くことも可能である。
発明のさらに別の実施態様では、スライド１３８は、上向きの４つのタブ１３９、１４０、１４１、１４２及び下向きの４つのタブ１４３、１４４、１４５、１４６を有することが可能である。このようにした結果、溝３５、３６（図６）又は凹部９２、９３（図１６）は省略可能であるが、この場合には、挿入コアはタブ１３９から１４６の端部に対応した滑り面を持たなければならない。
本発明のさらに別の実施態様では、図２７に示すように、せん孔部品として設計された保持部品１４７によってラッチ・アセンブリを置き換えてもよい。この保持部品１４７は、湾曲端部１４８、外側に折り曲げられた２つのカットイン・タブ１１５’、１１３’及び角度付き端部１０９’を有する。
端部１４８は、スロット１３１又は１３２（図２５）内に導入される。タブ１１５’及び１１３’は、拡張部１１５及び表面１１３（図１９）と同一の機能を果たす。端部１０９’は、突出部１０９（図１９）と同じように作用する。
２つのタブ１１５’’及び１１３’’、湾曲端部１５０並びに角度付き端部１５１を有する図２８に示す保持部品１４９は、さらに、自身の弾性を増大させるために、端部１５１の領域内に２つのノッチすなわち切開部１５２、１５３を有する。
異なる形状を有する凹部３７及び３８からなる図８の壁１１６、及び、リブ８４からなる図１４の壁は、支持ストップとして働き、このためスライドがよりよく締めつけ装置内に固定され、これによって締めつけ装置は高度に安定したものとなることが保証される。
図２５では、縁部７４’及び７５’が、スライドを保持する支持部分を構成しており、カップリング領域１５４がスライドの境界部分を構成している。これら支持部分、境界部分は、締めつけ素子又は保持部品を支持している。このような支持部分は、同時に、例えば孔さ１２（図２）、７２（図１１）又は１３１、１３２及び又は（図２５）の境界を形成する。
【図１】
0003953517.tif 000003
【図２】
0003953517.tif 000004
【図３】
0003953517.tif 000005
【図４】
0003953517.tif 000006
【図５】
0003953517.tif 000007
【図９】
0003953517.tif 000008
【図１０】
0003953517.tif 000009
【図６】
0003953517.tif 000010
【図７】
0003953517.tif 000011
【図８】
0003953517.tif 000012
【図１１】
0003953517.tif 000013
【図１２】
0003953517.tif 000014
【図１３】
0003953517.tif 000015
【図１４】
0003953517.tif 000016
【図１５】
0003953517.tif 000017
【図１６】
0003953517.tif 000018
【図１７】
0003953517.tif 000019
【図１８】
0003953517.tif 000020
【図１９】
0003953517.tif 000021
【図２０】
0003953517.tif 000022
【図２１】
0003953517.tif 000023
【図２２】
0003953517.tif 000024
【図２３】
0003953517.tif 000025
【図２４】
0003953517.tif 000026
【図２５】
0003953517.tif 000027
【図２６】
0003953517.tif 000028
【図２７】
0003953517.tif 000029
【図２８】
0003953517.tif 000030